(57)【要約】【課題】本発明の目的は、宿泊施設や交通手段等の設備の予約までを含め設備内のコンピュータの予約と、利用者コンピュータのデータのアップロード・ダウンロードの手段とタイミング、さらには、利用者が設備間を移動することを考慮したシステムを提供することにある。【解決手段】本発明は、電車・飛行機等の交通手段や、ホテル・旅館等の宿泊施設や、会議室・会館・コンベンションセンタ等の集会施設や設備利用等の予約を扱うものにおいて、予約を受け付ける手段と、前記予約に係る利用日等の情報や時間等の情報を読み込んだ情報に対応して、コンピュータの利用権限を付与する手段と、前記データを送る手段を要旨とする。【選択図】  図２
2004178032.tif 000002
【特許請求の範囲】
【請求項１】
電車・飛行機等の交通手段や、ホテル・旅館等の宿泊施設や、会議室・会館・コンベンションセンタ等の集会施設や設備利用等の予約を扱うものにおいて、予約を受け付ける手段と、前記予約に係る利用日等の情報や時間等の情報を読み込んだ情報に対応して、前記予約に係るコンピュータの利用権限を付与する手段と、前記データを送る手段を有することを特徴とするコンピュータ予約システム。
【発明の詳細な説明】
【０００１】
【発明の属する技術分野】
コンピュータの利用予約とそれを利用する施設・設備の予約とそれに伴うコンピュータのデータ転送に関するものである。
【０００２】
【従来の技術】
従来技術として、利用者が自分のコンピュータや記憶媒体を外出先に携帯しなくても、外出先で共用のコンピュータを利用するものがある（例えば、特許文献１参照。）。これは、利用者の環境とデータを共用のコンピュータに記憶させるものである。
【０００３】
【特許文献１】
特開２００２−５６３２３号公報（第３−６頁、第２図）
【０００４】
【発明が解決しようとする課題】
上記従来技術は、いつのタイミングで利用者の保有するコンピュータのデータをデータ管理センターのサーバーにアップロードするかについては述べられていない。さらに、共用のコンピュータを利用する設備としてのホテル等の宿泊施設や電車等の交通手段の予約までを含めた利用者コンピュータのデータのアップロードとダウンロードについても述べられていない。
【０００５】
本発明の目的は、利用者が保有するコンピュータの情報をホテル等の宿泊施設や電車等の交通手段の設備の予約に対応してアップロードし、さらに、予約した設備内で使用する共用コンピュータへダウンロードし、さらに、前記の予約設備、例えば新幹線からホテルへ移動した場合に、新幹線でそのデータをアップロードし、ホテルへダウンロードするシステムを提供することにある。
【０００６】
【課題を解決するための手段】
上記目的を達成するため請求項１の本発明は、電車・飛行機等の交通手段や、ホテル・旅館等の宿泊施設や、会議室・会館・コンベンションセンタ等の集会施設や設備利用等の予約を扱うものにおいて、予約を受け付ける手段と、前記予約に係る利用日等の情報や時間等の情報を読み込んだ情報に対応して、コンピュータの利用権限を付与する手段と、前記データを送る手段を要旨とする。
【０００７】
【発明の実施の形態】
図１は、設備利用の予約を受付る予約処理サーバ１０１と、利用者管理テーブル（図４）及びデータ管理テーブル（図５）を管理するデータ管理サーバ１０２と、設備内のコンピュータ１０３と、利用者が使用しているコンピュータ１０４が、ＷＡＮ等のネットワーク１０５を介して接続されていることを示すシステム構成の概要図である。
【０００８】
図２は、予約処理サーバ１０１の施設予約プログラム２０１が設備利用の予約を受付ると（図３のステップ３０１）、施設予約プログラム２０１が設備内のコンピュータの予約を行うか否かをチェックし（図３のステップ３０２）、コンピュータの予約を行うのであれば施設予約プログラム２０１がコンピュータ予約プログラム２０２を起動しコンピュータの予約を受け付ける（図３のステップ３０３）。
【０００９】
次に、利用者登録・認証プログラム２０３が、データ管理サーバ１０２のデータ登録プログラム２０６に、利用者の登録依頼し（図３のステップ３０４）、データ登録プログラム２０６が利用者データ管理テーブル（図４）に設備内のコンピュータの利用者の利用者ＩＤ４０１と利用者名４０２とパスワード４０３と住所４０４と電話番号４０５と利用開始日時４０６と利用終了日時４０７と契約終了日時４０８と利用先アドレス４０９と配布通番４１０の登録を行う（図３のステップ３１１）。
【００１０】
このとき利用する設備が複数ある場合、それぞれの設備内のコンピュータの利用開始日時４０６と利用終了日時４０７と契約終了日時４０８と利用先アドレス４０９を登録し、配布通番を降順に最後のコンピュータが０となるように登録する。利用者の登録が完了すると予約キー発行プログラム２０５が、予約キーの発行を行う（図３のステップ３０５）。
【００１１】
次に、利用者登録・認証プログラム２０３が、利用者の認証を行い（図３のステップ３０６）、認証を得られれば（図３のステップ３０７）、設備利用時以前に設備利用者が本発明で使用するコンピュータのデータを、データ送受信プログラム２０４が事前に受信し（図３のステップ３０８）、当該データをデータ登録プログラム２０６にデータの登録依頼を行い（図３のステップ３０９）、データ登録プログラム２０６がデータ管理テーブル（図５）の利用者ＩＤ４０１と利用前データ４０２と利用後データ４０３データの登録を行う（図３のステップ３１３）。
【００１２】
認証が得られなければ（図３のステップ３０７）、エラー処理を行う（図３のステップ３２７）。次に、データ配信プログラム２０７は、日付決定データ取得プログラム２１０を起動し利用者データ管理テーブル（図４）の配布通番４１０をチェックし０でなければ（図３のステップ３１４）、利用開始日時４０６の検索を行い（図３のステップ３１５）、当該日時までに利用者データ管理テーブル（図４）の利用先アドレス４０９に示された、設備内のコンピュータ１０３の配信データ送受信プログラム２１１に、当該データの使用前データ送信処理を行う（図３のステップ３１６）。
【００１３】
設備内のコンピュータ１０３の配信データ送受信プログラム２１１は、使用前データの受信を行い（図３のステップ３２１）、使用前データを設備内のコンピュータ１０３に取得する。次に配信データ送受信プログラム２１１は回収データ送受信プログラム２１２を起動し、回収データ送受信プログラム２１２は、日付決定データ取得プログラム２１０に、設備内のコンピュータ１０３の利用終了日時の検索依頼を行い（図３のステップ３２２）、日付決定データ取得プログラム２１０は、利用者データ管理テーブル（図４）の利用終了日時４０７の検索を行う（図３のステップ３１７）。
【００１４】
次に、回収データ送受信プログラム２１２は、当該日時までにデータ登録プログラム２０６に、使用後データの送信を行い（図３のステップ３２３）、データ登録プログラム２０６は、使用後データを登録する（図３のステップ３１８）。
【００１５】
再度、データ配信プログラム２０７は、日付決定データ取得プログラム２１０を起動し、配布通番をチェックし配布通番が０になるまで当該データの利用先コンピュータへの配布と回収を繰り返す（図３のステップ３１４）。
【００１６】
利用者は設備利用後、利用者コンピュータ１０４から、ＷＡＮ等のネットワーク１０５を介して、データ送受信プログラム２０４にアクセスし、データ送受信プログラム２０４は、データ取得プログラム２０８に、使用後データの取得依頼を行う（図３のステップ３１０）。
【００１７】
次に、データ取得プログラム２０８は、データ管理テーブルから使用後データ４０３の検索を行う（図３のステップ３１９）。データ消去プログラム２０９は、定期的な時間間隔で利用者データ管理テーブル（図４）の契約終了日時４０８を参照し、当該日時を超過した利用者ＩＤ４０１と一致する利用者データ管理テーブル（図４）とデータ管理テーブル（図５）の行を削除する（図３のステップ３２０）。
【００１８】
【発明の効果】
本発明によれば、利用者が保有するコンピュータの情報をホテル等の宿泊施設や電車等の交通手段の設備の予約に対応してアップロードし、さらに、予約した設備内で使用する共用コンピュータへダウンロードし、さらに、前記の予約設備、例えば新幹線からホテルへ移動した場合に、新幹線でそのデータをアップロードし、ホテルへダウンロードするシステムを提供することが可能になる。
【図面の簡単な説明】
【図１】本発明のシステム構成の概要図である。
【図２】本発明のシステム構成の詳細図である。
【図３】本発明の配布モードが事前配布の場合のフローチャートである。
【図４】利用者データ管理テーブルのテーブル構成図である。
【図５】データ管理テーブルのテーブル構成図である。
【符号の説明】
１０１…予約処理サーバ
１０２…データ管理サーバ
１０３…設備内のコンピュータ
１０４…利用者コンピュータ
１０５…ＷＮＡ等のネットワーク
【図１】
2004178032.tif 000003
【図２】
2004178032.tif 000004
【図３】
2004178032.tif 000005
【図４】
2004178032.tif 000006
【図５】
2004178032.tif 000007